(57)【要約】【課題】ユーザの嗜好と詳細に一致した番組のみを選択することができ、また、ユーザは、利便性を享受し、コンテンツ配信元は、コンテンツを効果的に配信することができるコンテンツ配信システムを提供する。【解決手段】ユーザの嗜好に対応するコンテンツ利用条件を指定するコンテンツ利用条件指定情報を受信し、このコンテンツ利用条件指定情報に基づいて、コンテンツ利用条件指定テーブルを、ユーザ毎に記憶し、コンテンツのプロパティを表現するコンテンツ情報を受信し、受信したコンテンツ情報と、ユーザ毎のコンテンツ利用条件指定テーブルの情報とに基づいて、番組表を生成し、生成されたユーザ毎の番組表を記憶し、ユーザに番組表を配信し、コンテンツ配信元から受信したコンテンツを、ユーザ毎のコンテンツ利用条件指定テーブルを参照して、配信する。【選択図】　図１
2004040484.tif 000002
【特許請求の範囲】
【請求項１】
所定のコンテンツ配信元から受信したコンテンツを配信制御するコンテンツ配信装置と、コンテンツ受信端末とを含むコンテンツ配信システムにおいて、
上記コンテンツ配信装置は、
ユーザの嗜好に対応するコンテンツ利用条件を指定するコンテンツ利用条件指定情報を受信するコンテンツ利用条件指定情報受信部と；
上記コンテンツ利用条件指定情報に基づいて、コンテンツ利用条件指定テーブルを、ユーザ毎に記憶するコンテンツ利用条件指定テーブル記憶部と；
上記コンテンツ配信元が提供し、コンテンツのプロパティを表現するコンテンツ情報を受信するコンテンツ情報受信部と；
上記コンテンツ情報受信部が受信した上記コンテンツ情報と、ユーザ毎の上記コンテンツ利用条件指定テーブルの情報とに基づいて、番組表を生成する番組表生成部と；
上記番組表生成部が生成したユーザ毎の番組表を記憶し、ユーザに番組表を配信する番組表記述部と；
上記コンテンツ配信元からコンテンツを受信するコンテンツ受信部と；
上記コンテンツ受信部が受信したコンテンツを、ユーザ毎のコンテンツ利用条件指定テーブルを参照し、配信するか否かを判断するコンテンツ配信判断部と；
上記コンテンツ配信判断部の判断に基づいて、コンテンツを配信するコンテンツ配信部と；
を有することを特徴とするコンテンツ配信システム。
【請求項２】
請求項１において、
上記コンテンツ受信端末は、
上記コンテンツ配信装置から受信したコンテンツを視聴するコンテンツ視聴手段と；
上記コンテンツ配信装置から受信した番組表を表示する番組表表示手段と；
を有する端末であることを特徴とするコンテンツ配信システム。
【請求項３】
請求項２において、
上記番組表表示手段は、上記コンテンツ配信装置から受信した番組表を、随時表示することができる手段であることを特徴とするコンテンツ配信システム。
【請求項４】
請求項１において、
上記コンテンツ配信装置は、上記コンテンツ配信元から、コンテンツとコンテンツ情報とを受信し、記憶するコンテンツアーカイブ部を有することを特徴とするコンテンツ配信システム。
【請求項５】
請求項４において、
上記コンテンツアーカイブ部は、上記番組表生成部に、コンテンツ情報を通知し、上記番組表に基づいて、上記コンテンツ配信部に、コンテンツを送る機能を有することを特徴とするコンテンツ配信システム。
【請求項６】
請求項１において、
上記コンテンツ配信装置は、上記コンテンツ受信端末から、コンテンツ利用状況の情報を受信するコンテンツ利用状況受信部と；
上記コンテンツ利用状況を記憶するコンテンツ利用状況記憶テーブルと；
上記コンテンツ利用記憶テーブルの情報に基づいて、コンテンツ利用条件を自動的に生成するコンテンツ利用条件自動生成部と；
を有することを特徴とするコンテンツ配信システム。
【発明の詳細な説明】
【０００１】
【発明の属する技術分野】
本発明は、放送サービスにおいて、ユーザの嗜好に合致した番組表と、そのコンテンツとを配信するコンテンツ配信システムに関する。
【０００２】
【従来の技術】
電波やネットワークを媒体とするディジタル放送では、従来の映像や音声以外に、画像や文字をディジタル化し、配信する。したがって、これまでとは異なり、放送コンテンツの量が莫大になり、ユーザ側でのコンテンツの選択技術が重要になる。
【０００３】
たとえば、番組の放送時間や解説等を含んだ番組情報を、付加情報として配信する技術であるＥＰＧ（Ｅｌｅｃｔｒｏｎｉｃ　Ｐｒｏｇｒａｍ　Ｇｕｉｄｅ）等、番組情報の配信が重要になる。
【０００４】
従来、特開２０００−１１５６４６公報に開示されているように、付加情報として配信される番組情報を、ユーザの嗜好に合わせたカテゴリに分類し、この分類されたカテゴリに沿って、所望の番組を選択し、再生または録画する技術が知られている。
【０００５】
【発明が解決しようとする課題】
将来の膨大な放送コンテンツの量を想定した場合、上記のようなカテゴリ分類のみの選択では不十分であり、さらに詳細な条件の指定や、リアルタイム性を生かした番組表が必要になる。
【０００６】
たとえば、スポーツ番組で、贔屓のチームが勝ったときにだけ、または音楽番組で好きなアーティストが出演したときにだけ、視聴するには、詳細な条件が必要になる。
【０００７】
また、上記従来例は、付加情報としての番組情報を端末側で受信し、カテゴリ分類するので、端末が高価であり、また、単純な選択条件しか採用できないという問題がある。
【０００８】
本発明は、コンテンツを配信制御するコンテンツ配信装置と、コンテンツ受信端末とを含むコンテンツ配信システムにおいて、ユーザの嗜好と詳細に一致した番組のみを選択することができ、また、ユーザは、利便性を享受し、コンテンツ配信元は、コンテンツを効果的に配信することができるコンテンツ配信システムを提供することを目的とするものである。
【０００９】
【課題を解決するための手段】
本発明は、所定のコンテンツ配信元から受信したコンテンツを配信制御するコンテンツ配信装置と、コンテンツ受信端末とを含むコンテンツ配信システムにおいて、上記コンテンツ配信装置は、ユーザの嗜好に対応するコンテンツ利用条件を指定するコンテンツ利用条件指定情報を受信し、上記コンテンツ利用条件指定情報に基づいて、コンテンツ利用条件指定テーブルを、ユーザ毎に記憶し、上記コンテンツ配信元が提供し、コンテンツのプロパティを表現するコンテンツ情報を受信し、上記受信したコンテンツ情報と、ユーザ毎の上記コンテンツ利用条件指定テーブルの情報とに基づいて、番組表を生成し、上記生成されたユーザ毎の番組表を記憶し、ユーザに番組表を配信し、上記コンテンツ配信元からコンテンツを受信し、上記受信したコンテンツを、ユーザ毎のコンテンツ利用条件指定テーブルを参照して、配信するコンテンツ配信システムである。
【００１０】
【発明の実施の形態および実施例】
図１は、本発明の一実施例であるコンテンツ配信システムＣＤ１を示すブロック図である。
【００１１】
コンテンツ配信システムＣＤ１は、ネット放送局ＮＢと、コンテンツ受信端末ＣＲとを有する。
【００１２】
ネット放送局ＮＢと、コンテンツ受信端末ＣＲとの間は、ネットワークＮＷまたは、電波ＲＷで接続される。
【００１３】
ネット放送局ＮＢは、放送局１０と、コンテンツ配信装置２０とを有する。コンテンツ受信端末ＣＲは、コンテンツ再生部５０と、番組表表示部６０とを有する。
【００１４】
放送局１０からの放送コンテンツは、伝送媒体が電波ＲＷである場合、直接コンテンツ受信端末ＣＲに配信され、番組情報等のコンテンツ情報は、ネットワークＮＷを介して、コンテンツ配信装置２０からコンテンツ受信端末ＣＲへ配信される。
【００１５】
これとは別に、ネットワークを介してコンテンツを配信する場合、放送局１０とコンテンツ配信装置２０とが一体化したネット放送局ＮＢから、ネットワークＮＷを介して、放送コンテンツとコンテンツ情報とが、コンテンツ受信端末ＣＲへ配信される。
【００１６】
なお、上記コンテンツ情報は、コンテンツのプロパティを表現する情報であり、コンテンツ配信元が提供する情報である。
【００１７】
図２は、上記実施例におけるコンテンツ配信装置２０の構成例を示すブロック図である。
【００１８】
コンテンツ配信装置２０は、コンテンツ利用条件指定情報受信部２１と、コンテンツ利用条件指定テーブル２２と、情報受信部２３と、番組表生成部２４と、番組表記述部２５と、コンテンツ受信部２６と、配信コンテンツ判断部２７と、コンテンツ配信部２８と、コンテンツ利用状況受信部２９と、コンテンツ利用状況記憶テーブル３０と、条件自動生成部３１とを有する。
【００１９】
コンテンツ利用条件指定情報受信部２１は、コンテンツ受信端末ＣＲ側から、番組表作成のためのコンテンツ利用条件指定情報を受信する。上記コンテンツ利用条件指定情報は、ユーザの嗜好に対応するコンテンツ利用条件を指定する情報である。
【００２０】
コンテンツ利用条件指定テーブル２２は、コンテンツ利用条件指定情報受信部２１が受信したコンテンツ利用条件指定情報を、ユーザ毎に記憶する。
【００２１】
情報受信部２３は、放送局１０側から、番組に関するコンテンツ情報を受信する。なお、コンテンツ情報は、コンテンツのプロパティを表現する情報であり、コンテンツ配信元が提供する情報である。
【００２２】
番組表記述部２５は、番組表生成部２４が生成した番組表を、ユーザ毎に記憶し、この記憶された番組表がコンテンツ受信端末ＣＲ側に送信される。
【００２３】
図３は、上記実施例において、コンテンツ利用条件を指定するコンテンツ利用条件指定論理式の具体例を示す図である。
【００２４】
図３において、「＋」は、論理和を示し、「＊」は、論理積を示す。論理式例１は、チームＡとチームＢとが対戦し、チームＡが勝利したコンテンツを指定する論理式である。論理式例２は、タイトルがＸであるコンテンツを指定する論理式である。論理式例３は、ＹまたはＺが出演し、タイトルＨの曲を演奏しているコンテンツを指定する論理式である。論理式例４は、ジャンルＢのコンテンツであり、ジャンルＢがＪ時間以上出演しているコンテンツを指定する論理式である。
【００２５】
上記実施例によれば、カテゴリ分類のみを指定する従来例とは異なり、ユーザが利用したいコンテンツを詳細に指定することができる。
【００２６】
コンテンツ配信装置２０において、ネット放送局１０の場合、コンテンツ受信部２６が、放送局１０側からコンテンツを受信し、コンテンツ利用条件指定テーブル２２に基づいて、配信コンテンツ判断部２７が、配信を判断し、コンテンツ配信部２８が、コンテンツ受信端末ＣＲに送信する。
【００２７】
コンテンツ配信装置２０において、コンテンツ受信端末ＣＲからコンテンツ利用状況の情報を、コンテンツ利用状況受信部２９が受信し、この受信したコンテンツ利用状況の情報が、コンテンツ利用状況記憶テーブル３０に保存される。
【００２８】
図４は、上記実施例において、コンテンツ利用状況記憶テーブル３０における記憶内容の一例を示す図である。
【００２９】
条件自動生成部３１が、コンテンツ利用状況の情報を入力し、この入力した利用状況を考慮して、コンテンツ利用条件を自動的に生成し、コンテンツ利用条件指定テーブル２２に記載されているコンテンツ利用条件指定情報を、追加または修正することができる。たとえば、何度も視聴したコンテンツの共通条件（同じアーティスト、同じ勝利チーム、共通の話題等）を抽出し、この抽出された共通条件を、コンテンツ利用条件指定情報に追加または修正することができる。
【００３０】
図５は、上記実施例の動作を示すフローチャートであり、コンテンツ配信装置２０とコンテンツ受信端末ＣＲとの間における信号の応答を示すフローチャートである。
【００３１】
ステップＳ２では、コンテンツ受信端末ＣＲは、番組条件の登録（Ｓ１）を目的として、コンテンツ配信装置２０に対して、自分（ユーザ）の嗜好に合ったコンテンツを利用する条件であるコンテンツ利用条件を指定する。ステップＳ３では、放送局１０からの番組表と、ユーザからのコンテンツ利用条件とに基づいて、ユーザ毎の番組表を作成する。
【００３２】
ステップＳ５では、ユーザ毎に作成された番組表を表示する。ステップＳ７では、番組表を参照し、番組選択情報をコンテンツ配信装置２０に通知する。ステップＳ８では、選択されたコンテンツを配信し、ステップＳ９では、コンテンツ受信端末ＣＲにおいて、コンテンツを再生し、視聴する。
【００３３】
図６は、コンテンツ配信装置２０とは別のコンテンツ配信装置２０ａを示すブロック図である。
【００３４】
コンテンツ配信装置２０ａは、コンテンツ配信装置２０において、コンテンツアーカイブ部４０が追加され、番組生成部２４の代わりに、番組生成部２４ａが設けられている。
【００３５】
コンテンツアーカイブ部４０は、情報受信部２３から受けたコンテンツを一時的に記憶するものである。番組生成部２４ａは、コンテンツアーカイブ部４０から読み出したコンテンツと、コンテンツ利用条件指定テーブル２２から読み出した条件とを入力し、番組表を生成するものである。
【００３６】
コンテンツ配信装置２０ａは、コンテンツアーカイブ部４０を有するので、ライブコンテンツ等、動的な要素についても、条件設定が可能である。
【００３７】
たとえば、チームＡとチームＢとが対戦する試合のライブコンテンツを、コンテンツアーカイブ部４０に蓄積し、贔屓のチームが盛り返して点差が１点になった時点から、試合のライブコンテンツを配信するという条件を設定することもできる。この場合、コンテンツ受信端末ＣＲのコンテンツ再生部５０がｏｆｆであるときにも、随時表示可能な番組表表示部６０に通知することによって、上記のようなライブコンテンツの視聴が可能になる。
【００３８】
図７は、コンテンツ配信装置２０ａの動作を示すフローチャートであり、ユーザの番組条件に応じて、コンテンツを自動的に配信する応答を示すフローチャートである。
【００３９】
ステップＳ２では、ユーザの嗜好に合ったコンテンツ利用条件を、ユーザが指定する。ステップＳ１１では、コンテンツ配信装置２０ａが、コンテンツとコンテンツ情報とをコンテンツアーカイブ部４０に蓄積する。
【００４０】
ステップＳ１２では、コンテンツ情報と、ユーザから受信したコンテンツ利用条件とに基づいて、ユーザ毎の番組表を作成する。この作成された番組表に基づいて、ステップＳ８では、ユーザの嗜好に適したコンテンツを自動的に配信し、ステップＳ９では、コンテンツ受信端末ＣＲにおいて、コンテンツを再生し、視聴する。
【００４１】
図８は、コンテンツ配信装置２０ａの動作を示すフローチャートであり、ユーザのコンテンツ利用状況に応じて、コンテンツ利用条件を設定変更する動作を示すフローチャートである。
【００４２】
ステップＳ２２では、コンテンツの視聴・再生状況をコンテンツ配信装置２０ａに通知する。この通知に基づいて、ステップＳ２３では、コンテンツ利用状況記憶テーブル３０を更新する。ステップＳ２４では、更新されたコンテンツ利用状況記憶テーブル３０を参照し、コンテンツ利用条件を自動生成し、コンテンツ利用条件指定テーブル２２を更新する。ステップＳ２５では、更新したコンテンツ利用条件を、ユーザに通知する。
【００４３】
上記実施例によれば、ユーザの嗜好に一致した番組のみが、番組表に的確に表示されるので、コンテンツ量が莫大になっても、好みの番組の選択が容易であり、また、ユーザ嗜好に合致したもののみを自動的に配信するので、ユーザは、利便性を享受し、コンテンツ配信元は、コンテンツを効率的に配信することができ、さらに、ライブコンテンツのように動的要素を含むコンテンツについて、条件を詳細に設定できるので、多様なコンテンツ配信形態を実施することができる。
【００４４】
【発明の効果】
本発明によれば、ユーザの嗜好に一致した番組のみが、番組表に的確に表示されるので、コンテンツ量が莫大になっても、好みの番組の選択が容易であるという効果を奏し、また、ユーザ嗜好に合致したもののみを自動的に配信するので、ユーザは、利便性を享受し、コンテンツ配信元は、コンテンツを効率的に配信することができるという効果を奏し、さらに、ライブコンテンツのように動的要素を含むコンテンツについて、条件を詳細に設定できるので、多様なコンテンツ配信形態を実施することができるという効果を奏する。
【図面の簡単な説明】
【図１】本発明の一実施例であるコンテンツ配信システムＣＤ１を示すブロック図である。
【図２】上記実施例におけるコンテンツ配信装置２０の構成を示すブロック図である。
【図３】上記実施例において、コンテンツ利用条件を指定するコンテンツ利用条件指定論理式の具体例を示す図である。
【図４】上記実施例において、コンテンツ利用状況記憶テーブル３０における記憶内容の一例を示す図である。
【図５】上記実施例の動作を示すフローチャートであり、コンテンツ配信装置２０とコンテンツ受信端末ＣＲとの間における信号の応答を示すフローチャートである。
【図６】コンテンツ配信装置２０とは別のコンテンツ配信装置２０ａを示すブロック図である。
【図７】コンテンツ配信装置２０ａの動作を示すフローチャートであり、ユーザから受けたコンテンツ利用条件に応じて、コンテンツを自動的に配信する応答を示すフローチャートである。
【図８】コンテンツ配信装置２０ａの動作を示すフローチャートであり、ユーザのコンテンツ利用状況に応じて、コンテンツ利用条件を設定変更する動作を示すフローチャートである。
【符号の説明】
ＣＤ１…コンテンツ配信システム、
ＮＢ…ネット放送局、
１０…放送局、
２０、２０ａ…コンテンツ配信装置、
２１…コンテンツ利用条件指定情報受信部、
２２…コンテンツ利用条件指定テーブル、
２３…情報受信部、
２４…番組表生成部、
２５…番組表記述部、
２６…コンテンツ受信部、
２７…配信コンテンツ判断部、
２８…コンテンツ配信部、
２９…コンテンツ利用状況受信部、
３０…コンテンツ利用状況記憶テーブル、
３１…コンテンツ利用条件自動性西部、
３２…コンテンツアーカイブ部
ＣＲ…コンテンツ受信端末、
５０…コンテンツ再生部、
６０…番組表表示部。
【図１】
2004040484.tif 000003
【図２】
2004040484.tif 000004
【図３】
2004040484.tif 000005
【図４】
2004040484.tif 000006
【図５】
2004040484.tif 000007
【図６】
2004040484.tif 000008
【図７】
2004040484.tif 000009
【図８】
2004040484.tif 000010